(57)【要約】  弾性波フィルタ（４，５）と並列共振子（３Ａ，３Ｂ）とを圧電基板（１０）に設けた弾性波フィルタ装置（１）は、グランドポート（ＧＮＤ１，ＧＮＤ２，ＧＮＤ３）を備える。弾性波フィルタ（４，５）は入力側共振子（４Ａ，４Ｃ，４Ｅ，５Ａ，５Ｃ，５Ｅ）と出力側共振子（４Ｂ，４Ｄ，５Ｂ，５Ｄ）とを備える。入力側共振子（４Ａ，４Ｃ，４Ｅ，５Ａ，５Ｃ，５Ｅ）は、受信入力ポート（ＩＮ）−グランドポート（ＧＮＤ１）間に接続される。出力側共振子（４Ｂ，４Ｄ，５Ｂ，５Ｄ）は、受信出力ポート（ＯＵＴ１，ＯＵＴ２）−グランドポート（ＧＮＤ１）間に接続される。並列共振子（３Ａ，３Ｂ）は、出力ラインに並列に接続されるとともに、グランドポート（ＧＮＤ２，３）に接続される。
2010052969.tif 000002
【特許請求の範囲】
【請求項１】
入力ラインとグランドラインとの間に接続される入力側共振子と、出力ラインとグランドラインとの間に接続される出力側共振子と、を結合させた弾性波フィルタと、
グランドラインと前記入力ラインまたは前記出力ラインとの間に接続される並列トラップと、
を、圧電基板に設けた弾性波フィルタ装置であって、
前記圧電基板表面に設けられ、前記入力側共振子のグランドラインと前記出力側共振子のグランドラインとが接続される第１のグランド接続電極と、
前記第１のグランド接続電極から離間して前記圧電基板表面に設けられ、前記並列トラップのグランドラインが接続される第２のグランド接続電極と、
を備える弾性波フィルタ装置。
【請求項２】
前記入力側共振子と前記出力側共振子とは、弾性波伝搬方向に交互に配列されていて、前記入力側共振子のグランドラインへの接続位置の向きと前記出力側共振子のグランドラインへの接続位置の向きとが逆である、請求項１に記載の弾性波フィルタ装置。
【請求項３】
請求項１または２に記載の弾性波フィルタ装置と、
前記弾性波フィルタ装置を搭載するモジュール基体と、を備え、
前記モジュール基体は、その実装面に、前記第１のグランド接続電極と前記第２のグランド接続電極とが接続されるグランド端子を備える、モジュール。
【発明の詳細な説明】
【技術分野】
【０００１】
この発明は、圧電基板上で弾性波フィルタと並列トラップとをラダー型に接続した弾性波フィルタ装置、および、弾性波フィルタ装置を備えるモジュールに関するものである。
【背景技術】
【０００２】
圧電基板表面の振動を利用する弾性表面波や、圧電基板内部の振動を利用するバルク弾性波、積層圧電基板界面の振動を利用する弾性境界波などの電気機械振動を利用した弾性波フィルタ装置が、携帯電話機のＲＦフィルタなどに利用されている。【０００３】
弾性波フィルタ装置の一例として、複数の１ポート弾性波共振子（以下、単に共振子と称する。）を弾性波伝搬方向に配列して縦結合させて多重モードフィルタとするとともに、その多重モードフィルタに対して直列および並列にトラップ共振子を挿入し、ラダー型接続としたものがある（例えば、特許文献１参照。）。【０００４】
図１は、従来の弾性波フィルタ装置の構成例を説明する回路図である。
この弾性波フィルタ装置は、複数の共振子１０５および複数の共振子１０６からなる多重モードフィルタ１１１と、直列トラップ共振子１０１，１０２，０１７，１０８と、並列トラップ共振子１０３，１０４，１０９，１１０と、を備える。【０００５】
複数の共振子１０５は、それぞれの第１のＩＤＴ電極が入力ラインに接続され、それぞれの第２のＩＤＴ電極がグランドラインに接続されている。複数の共振子１０６は、それぞれの第１のＩＤＴ電極が出力ラインに接続され、それぞれの第２のＩＤＴ電極がグランドラインに接続されている。複数の共振子１０５，１０６は、交互に弾性波伝搬方向に配列されて縦結合し、多重モードフィルタ１１１を構成する。【０００６】
直列トラップ共振子１０１，１０２は入力ラインに直列に挿入され、直列トラップ共振子１０７，１０８は出力ラインに直列に挿入されている。並列トラップ共振子１０３，１０４は入力ラインとグランドラインとの間に並列に挿入され、並列トラップ共振子１０９，１１０は出力ラインとグランドラインとの間に並列に挿入されている。【０００７】
このような弾性波フィルタ装置は、圧電基板に一体に設けられたチップとして通常は構成される。そして、この弾性波フィルタ装置のチップはセラミック基板やプリント基板などのモジュール基体に搭載されモジュール化される。その際、図１中の複数のグランド記号の示すグランド接続電極を、それぞれ別個に圧電基板表面に設けることはチップサイズの制約から難しいため、図２に示す模式図のように、グランドラインを束ね、単一のグランド接続電極に共通に接続されることになる。
【先行技術文献】
【特許文献】
【０００８】
【特許文献１】特開平７−１３１２９０号公報
【発明の概要】
【発明が解決しようとする課題】
【０００９】
ところで、弾性波フィルタ装置をモジュール構成にした場合には、モジュールの外部端子から弾性波フィルタ装置までのモジュール基体上の配線が、寄生インピーダンスを持つことになる。【００１０】
そのため、圧電基板表面に設けられるグランド接続電極は、寄生インピーダンスを介してモジュールの外部グランド端子に接続されることになるが、寄生インピーダンスの作用により弾性波フィルタの減衰特性やアイソレーション特性が劣化する虞がある。【００１１】
そこで、本発明は、接続配線の寄生インピーダンスの作用により弾性波フィルタ装置に及ぶ、フィルタの減衰特性やアイソレーション特性の劣化を抑制できる弾性波フィルタ装置、および、それを備えるモジュールの提供を目的とする。
【課題を解決するための手段】
【００１２】
この発明は、弾性波フィルタと並列トラップとを圧電基板に設けた弾性波フィルタ装置であって、第１のグランド接続電極と第２のグランド接続電極とを備える。弾性波フィルタは入力側共振子と出力側共振子とを結合させたものである。入力側共振子は、入力ラインとグランドラインとの間に接続される。出力側共振子は、出力ラインとグランドラインとの間に接続される。並列トラップは、グランドラインと入力ラインまたは出力ラインとの間に接続される。第１のグランド接続電極は圧電基板表面に設けられ、入力側共振子のグランドラインと出力側共振子のグランドラインとが接続される。第２のグランド接続電極は第１のグランド接続電極から離間して圧電基板表面に設けられ、並列トラップのグランドラインが接続される。【００１３】
この構成では、弾性波フィルタの複数の共振子が圧電基板表面の第１のグランド接続電極に接続され、並列トラップが第１のグランド接続電極から離間する第２のグランド接続電極に接続される。したがって、第１のグランド接続電極に対する接続配線の寄生インピーダンスは、弾性波フィルタの複数の共振子に対して共通に作用することになる。また、第２のグランド接続電極に対する接続配線の寄生インピーダンスは、弾性波フィルタに作用する寄生インピーダンスとは独立して、並列トラップのみに対して作用することになる。【００１４】
入力側共振子と出力側共振子とは、入出力ラインに接続される第１のＩＤＴ電極と、グランドラインに接続される第２のＩＤＴ電極とをそれぞれ備えると好適である。その場合、入力側共振子と出力側共振子とは弾性波伝搬方向に交互に配列されるとよく、第１のＩＤＴ電極と第２のＩＤＴ電極とは、弾性波伝搬方向に垂直な方向に配列されるとよく、第１のＩＤＴ電極と第２のＩＤＴ電極とは、入力側共振子での配置順と出力側共振子での配置順とが逆であるとよい。【００１５】
このような構成では、入力側共振子の第１のＩＤＴ電極と出力側共振子の第２のＩＤＴ電極とが、弾性波フィルタの両側に配置される。このため、入力側共振子の第２のＩＤＴ電極と出力側共振子の第２のＩＤＴ電極とを異なるグランド接続電極に接続するほうが、回路構成が簡易になり易い。しかしながらその場合、モジュール化すると寄生インピーダンスの影響でフィルタの減衰特性やアイソレーション特性の劣化が生じてしまうので、本構成の場合であっても、それぞれの第２のＩＤＴ電極を共通のグランド接続電極に接続すると好適である。【００１６】
本発明のモジュールは、上述の弾性波フィルタ装置と、弾性波フィルタ装置を搭載するモジュール基体とを備え、モジュール基体はその実装面に、第１のグランド接続電極と第２のグランド接続電極とが接続されるグランド端子を備えてもよい。
【発明の効果】
【００１７】
この発明によれば、弾性波フィルタ装置の第１のグランド接続電極への接続配線による寄生インピーダンスは、弾性波フィルタの複数の共振子に共通して作用し、並列トラップに作用する寄生インピーダンスとは独立に作用することになる。したがって、フィルタの減衰特性やアイソレーション特性の劣化を抑制できる。
【図面の簡単な説明】
【００１８】
【図１】従来の弾性波フィルタ装置の回路例を説明する図である。
【図２】従来の弾性波フィルタ装置の回路例を説明する図である。
【図３】本発明の第１の実施形態に係る弾性波フィルタ装置を備えるモジュールの構成例を説明する要部断面図と回路図である。
【図４】図３に示す弾性波フィルタ装置の回路形成面の電極パターン例を説明する下面図である。
【図５】図３に示すモジュールの電極層の電極パターン例を説明する積み図である。
【図６】シミュレーションに用いた弾性波フィルタ装置の回路形成面の電極パターン例を説明する図である。
【図７】シミュレーションしたフィルタ特性を説明する図である。
【図８】第２の実施形態に係る弾性波フィルタ装置の構成例の回路図である。
【図９】第３の実施形態に係る弾性波フィルタ装置の構成例の回路図である。
【発明を実施するための形態】
【００１９】
《第１の実施形態》
図３は、第１の実施形態に係る弾性波フィルタ装置を備えるモジュールの概略構成を説明する図であり、同図（Ａ）は同モジュールの要部断面図、同図（Ｂ）は同モジュールの回路図である。
【００２０】
本実施形態のモジュール１００は、５層構造の積層基板からなるモジュール基体２０に弾性波フィルタ装置１のチップを搭載した構成である。モジュール基体２０は、チップ搭載面とは逆側の実装面に後述する実装用端子を備え、各実装用端子と弾性波フィルタ装置１の各接続ポート（接続電極）とを接続する内部配線が形成されている。弾性波フィルタ装置１は、デュプレクサの送信回路ＴＸと受信回路ＲＸとを圧電基板１０の回路形成面に設けたＳＡＷ（表面弾性波）フィルタのチップである。このチップは、回路形成面がモジュール基体２０に対向するようにモジュール基体２０に搭載され、各接続ポートがモジュール基体２０の電極にバンプ接続される。
【００２１】
送信回路ＴＸは不平衡入力−不平衡出力型であり、送信回路ＴＸの送信入力の接続ポートは、モジュール基体２０の内部配線を介してモジュール基体２０の実装用端子である送信入力端子Ｔｘに接続されている。送信回路ＴＸの送信出力の接続ポートは、モジュール基体２０の内部配線を介してモジュール基体２０の実装用端子であるアンテナ端子Ａｎｔに接続されている。なお、このアンテナ端子Ａｎｔは、モジュール基体２０の内部配線として設けたコイルを介してモジュール基体２０の実装用端子であるグランド端子Ｇｎｄ２に接続されている。
【００２２】
受信回路ＲＸは不平衡入力−平衡出力型（バラン型）受信回路であり、回路素子部として弾性波フィルタ４，５と直列共振子２Ａ，２Ｂと並列共振子３Ａ，３Ｂとを備える。また、接続ポートとして、受信入力ポートＩＮと受信出力ポートＯＵＴ１，ＯＵＴ２とグランドポートＧＮＤ１，ＧＮＤ２，ＧＮＤ３とを備える。
【００２３】
弾性波フィルタ４は、５つの共振子４Ａ〜４Ｅを交互に弾性波伝搬方向に配列して縦結合させた縦結合共振型ＳＡＷフィルタであり、受信入力ポートＩＮと受信出力ポートＯＵＴ１との間に接続されている。弾性波フィルタ５は、５つの共振子５Ａ〜５Ｅを弾性波伝搬方向に交互に配列して縦結合させた縦結合共振型ＳＡＷフィルタであり、受信入力ポートＩＮと受信出力ポートＯＵＴ２との間に接続されている。弾性波フィルタ４，５が位相差のある信号を出力することで、受信回路ＲＸは不平衡出力を得ている。
【００２４】
共振子４Ａ，４Ｃ，４Ｅ，５Ａ，５Ｃ，５Ｅは、それぞれ入力側共振子であり、入力ラインに接続される第１のＩＤＴ電極（不図示）と、グランドラインに接続される第２のＩＤＴ電極（不図示）とを備える。共振子４Ｂ，４Ｄ，５Ｂ，５Ｄは、それぞれ出力側共振子であり、出力ラインに接続される第１のＩＤＴ電極（不図示）と、グランドラインに接続される第２のＩＤＴ電極（不図示）とを備える。共振子４Ａ〜４Ｅ，５Ａ〜５Ｅそれぞれに接続されるグランドラインは、本発明の第１のグランド接続電極であるグランドポートＧＮＤ１に共通に接続されている。共振子４Ｂ，４Ｄに接続される出力ラインは、共通する受信出力ポートＯＵＴ１に接続されている。共振子５Ｂ，５Ｄに接続される出力ラインは、共通する受信出力ポートＯＵＴ２に接続されている。
【００２５】
直列共振子２Ａは弾性波フィルタ４の入力ラインに直列に挿入され、直列共振子２Ｂは弾性波フィルタ５の入力ラインに直列に挿入され、それぞれ直列トラップとして作用している。これらの入力ラインは、共通する受信入力ポートＩＮに接続されている。
【００２６】
並列共振子３Ａは弾性波フィルタ４の出力ラインから分岐する並列ラインに挿入され、並列トラップとして作用している。この並列ラインは、本発明の第２のグランド接続電極であるグランドポートＧＮＤ２に接続されている。並列共振子３Ｂは弾性波フィルタ５の出力ラインから分岐する並列ラインに挿入され、並列トラップとして作用している。この並列ラインは、本発明の第２のグランド接続電極であるグランドポートＧＮＤ３に接続されている。
【００２７】
受信入力ポートＩＮは、モジュール基体２０の内部の受信入力配線ｌｉｎｅ６を介して、モジュール基体２０の実装用端子であるアンテナ端子Ａｎｔに接続されている。受信出力ポートＯＵＴ１，ＯＵＴ２は、モジュール基体２０の内部の受信出力配線ｌｉｎｅ４，ｌｉｎｅ５を介して、モジュール基体２０の実装用端子である受信出力端子Ｒｘ１，Ｒｘ２に接続されている。グランドポートＧＮＤ１，ＧＮＤ２，ＧＮＤ３は、モジュール基体２０の内部のグランド配線ｌｉｎｅ１，ｌｉｎｅ２，ｌｉｎｅ３を介して、モジュール基体２０の内部のグランド配線ｌｉｎｅ７に接続される。そして、このグランド配線ｌｉｎｅ７を介してモジュール基体２０の実装用端子であるグランド端子Ｇｎｄ１に接続されている。
【００２８】
以上の構成の、弾性波フィルタ装置１では、弾性波フィルタ４，５に接続されるグランドラインの全てが、グランドポートＧＮＤ１に圧電基板１０上で共通に接続される。また、並列共振子３Ａに接続される並列ラインがグランドポートＧＮＤ２に、並列共振子３Ｂに接続される並列ラインがグランドポートＧＮＤ３に、圧電基板１０上で接続される。
【００２９】
したがって、モジュール基体２０のグランド配線ｌｉｎｅ１の寄生インピーダンスは、弾性波フィルタ４，５の全ての共振子に共通して作用することになる。また、モジュール基体２０のグランド配線ｌｉｎｅ２，ｌｉｎｅ３の寄生インピーダンスは、弾性波フィルタ４，５に作用する寄生インピーダンスとは独立したものになる。したがって、フィルタの減衰特性やアイソレーション特性の劣化を抑制できる。
【００３０】
次に、上述の弾性波フィルタ装置１およびモジュール１００の具体的な回路パターン例を説明する。
【００３１】
図４は、弾性波フィルタ装置１の回路形成面を示す下面図である。図５は、モジュール基体２０に設ける電極層を下面視した積み図である。
弾性波フィルタ装置１は、圧電基板１０の回路形成面に、受信回路ＲＸと送信回路ＴＸとなる回路パターンを設けたものである。そして、受信回路ＲＸとなる回路パターンに、弾性波フィルタ４，５、直列共振子２Ａ，２Ｂ、および並列共振子３Ａ，３Ｂとなる複数のＩＤＴ電極を設けている。
【００３２】
なお、弾性波フィルタ４，５それぞれは３つの入力側共振子と２つの出力側共振子を備え、各共振子は図中横方向の弾性波伝搬方向に交互に配列される。また、各共振子は、入出力ラインに接続される第１のＩＤＴ電極と、グランドラインに接続される第２のＩＤＴ電極とを備え、第１のＩＤＴ電極と第２のＩＤＴ電極とは弾性波伝搬方向に垂直な図中縦方向に配列される。入力側共振子は、基板中央側に第１のＩＤＴ電極を、基板上端側（または基板下端側）に第２のＩＤＴ電極の順に配置していて、出力側共振子では配置順が逆である。
【００３３】
また、この回路パターン中に、受信入力ポートＩＮとなる電極部、受信出力ポートＯＵＴ１となる電極部、受信出力ポートＯＵＴ２となる電極部、グランドポートＧＮＤ１となる電極部、および、グランドポートＧＮＤ２となる電極部、グランドポートＧＮＤ３となる電極部、を備える。これらの各接続ポートに対応する電極は、バンプ電極を介してモジュール基体２０の電極に接続される。
【００３４】
モジュール基体２０は、チップ搭載面から実装面に掛けて、６つの電極層（Ａ）〜（Ｆ）を備える。
【００３５】
電極層（Ａ）は、モジュール基体２０のチップ搭載面に設けられていて、弾性波フィルタ装置１の各接続ポートが搭載される複数の電極を備える。具体的には、受信回路ＲＸの受信入力ポートＩＮが搭載されて受信入力配線ｌｉｎｅ６を構成する電極、受信出力ポートＯＵＴ１が搭載されて受信出力配線ｌｉｎｅ４を構成する電極、受信出力ポートＯＵＴ２が搭載されて受信出力配線ｌｉｎｅ５を構成する電極、グランドポートＧＮＤ１が搭載されてグランド配線ｌｉｎｅ１を構成する電極、グランドポートＧＮＤ２が搭載されてグランド配線ｌｉｎｅ２を構成する電極、グランドポートＧＮＤ３が搭載されてグランド配線ｌｉｎｅ３を構成する電極、および、送信回路ＴＸの各接続ポートが接続される複数の電極を備える。
【００３６】
電極層（Ｂ）は、モジュール基体２０の積層基板の１層目基板と２層目基板との間に形成されていて、電極層（Ａ）の各電極にスルーホールで接続される複数の電極を備える。具体的には、受信回路ＲＸの受信入力配線ｌｉｎｅ６を構成する電極、受信出力配線ｌｉｎｅ４を構成する電極、受信出力配線ｌｉｎｅ５を構成する電極、グランド配線ｌｉｎｅ１を構成する電極、グランド配線ｌｉｎｅ２を構成する電極、グランド配線ｌｉｎｅ３を構成する電極、および、送信回路ＴＸの内部配線となる複数の電極を備える。
【００３７】
電極層（Ｃ）は、モジュール基体２０の積層基板の２層目基板と３層目基板との間に形成されていて、電極層（Ｂ）の各電極にスルーホールで接続される複数の電極を備える。具体的には、受信回路ＲＸの受信入力配線ｌｉｎｅ６を構成する電極、受信出力配線ｌｉｎｅ４を構成する電極、受信出力配線ｌｉｎｅ５を構成する電極、グランド配線ｌｉｎｅ１とグランド配線ｌｉｎｅ２とグランド配線ｌｉｎｅ３とを接続した内部グランド接続電極、および、送信回路ＴＸの内部配線となる複数の電極を備える。
【００３８】
電極層（Ｄ）は、モジュール基体２０の積層基板の３層目基板と４層目基板との間に形成されていて、電極層（Ｃ）の各電極にスルーホールで接続される複数の電極を備える。具体的には、受信回路ＲＸの受信入力配線ｌｉｎｅ６を構成する電極、受信出力配線ｌｉｎｅ４を構成する電極、受信出力配線ｌｉｎｅ５を構成する電極、電極層（Ｃ）の内部グランド接続電極に接続されグランド配線ｌｉｎｅ７を構成する内部グランド接続電極、および、送信回路ＴＸの内部配線となる複数の電極を備える。
【００３９】
電極層（Ｅ）は、モジュール基体２０の積層基板の４層目基板と５層目基板との間に形成されていて、電極層（Ｄ）の各電極にスルーホールで接続される複数の電極を備える。具体的には、受信回路ＲＸの受信入力配線ｌｉｎｅ６を構成する電極、受信出力配線ｌｉｎｅ４を構成する電極、受信出力配線ｌｉｎｅ５を構成する電極、グランド配線ｌｉｎｅ７を構成する複数の電極、および、送信回路ＴＸの内部配線となる複数の電極を備える。
【００４０】
電極層（Ｆ）は、モジュール基体２０の実装面に形成されていて、複数の実装用端子を備える。具体的には、受信回路ＲＸの受信入力配線ｌｉｎｅ６が接続されるアンテナ端子Ａｎｔ、受信出力配線ｌｉｎｅ４が接続される受信出力端子Ｒｘ１、受信出力配線ｌｉｎｅ５が接続される受信出力端子Ｒｘ２、グランド配線ｌｉｎｅ７が接続されるグランド端子Ｇｎｄ１、および、送信回路ＴＸの送信入力端子Ｔｘ、および、グランド端子Ｇｎｄ２を備える。なお、グランド端子Ｇｎｄ２は、アンテナ端子Ａｎｔに接続される受信入力配線ｌｉｎｅ６から電極層（Ｃ）で分岐し、電極層（Ｃ）〜（Ｅ）にかけて設けられたコイル状の内部配線を介してアンテナ端子Ａｎｔを接地する。
【００４１】
以上の回路パターン例の場合、弾性波フィルタ装置１の弾性波フィルタ４，５に接続されるグランドポートＧＮＤ１に対して、モジュール基体２０側との接続用のバンプ電極、電極層（Ａ）〜（Ｂ）のグランド配線ｌｉｎｅ１、および、１層目基板から３層目基板までのスルーホールによる寄生インピーダンスが作用する。また、弾性波フィルタ装置１の並列共振子３Ａに接続されるグランドポートＧＮＤ２に対して、モジュール基体２０側との接続用のバンプ電極、電極層（Ａ）〜（Ｂ）のグランド配線ｌｉｎｅ２、および１層目基板から３層目基板までのスルーホールによる寄生インピーダンスが作用する。また、弾性波フィルタ装置１の並列共振子３Ｂに接続されるグランドポートＧＮＤ３に対して、モジュール基体２０側との接続用のバンプ電極、電極層（Ａ）〜（Ｂ）のグランド配線ｌｉｎｅ３、および１層目基板から３層目基板までのスルーホールによる寄生インピーダンスが作用する。
【００４２】
この回路パターン例では、電極層（Ｃ），（Ｄ）にグランド配線ｌｉｎｅ１，ｌｉｎｅ２，ｌｉｎｅ３を接続する内部グランド接続電極を設け、これらの内部グランド接続電極と電極層（Ｆ）のグランド端子Ｇｎｄ１との間を、複数のグランド配線ｌｉｎｅ７で接続している。これにより、電極層（Ｃ）〜（Ｆ）までのグランド配線ｌｉｎｅ７および４層目基板から５層目基板までのスルーホールによる寄生インピーダンスが、殆ど、弾性波フィルタ装置１のグランドポートＧＮＤ１，ＧＮＤ２，ＧＮＤ３に作用せず、フィルタの減衰特性やアイソレーション特性の劣化を抑制できる。
【００４３】
また、この回路パターン例では、弾性波フィルタ装置１のグランドポートＧＮＤ１，ＧＮＤ２，ＧＮＤ３は、互いに隣接させずに斜向かいに配置している。これにより、フィルタのアイソレーション特性をさらに改善している。
【００４４】
次に、シミュレーションによる、上述の回路パターンと比較構成の回路パターンとのフィルタ特性を比較する。
【００４５】
図６（Ａ）は、比較構成の回路パターン例の受信回路を示す図であり、図６（Ｂ）は本構成の回路パターン例の受信回路を示す図である。
図６（Ａ）に示す比較構成の回路パターンでは、弾性波フィルタ４，５の入力側共振子の第２のＩＤＴ電極（基板外側）をグランドポートＧＮＤ１ではなくグランドポートＧＮＤ２，ＧＮＤ３となる電極部に接続する構成が、図６（Ｂ）に示す本構成の回路パターン例と相違する。
【００４６】
図７は、本構成のフィルタ特性と比較構成のフィルタ特性とを比較する図である。
この図で示すように本構成では、通過帯域の下側帯域と上側帯域との殆どの領域で約−４０ｄＢ以下に増幅度を抑制でき、大きな減衰量を確保できている。一方、比較構成では、通過帯域の周波数や特性波形の形状は本構成と略同一であるが、全体的に減衰量を確保するのが困難であり、通過帯域の下側帯域と上側帯域との殆どの領域で約−２５ｄＢ以下にしか増幅度を抑制できなかった。
【００４７】
以上、説明したように本実施形態の弾性波フィルタ装置１を備えるモジュール１００では、モジュール側の接続配線による寄生インピーダンスを、弾性波フィルタ装置１のグランドポートＧＮＤ１を介して、弾性波フィルタ４，５の複数の共振子に共通して作用させる。また、並列共振子３Ａ，３Ｂに作用する寄生インピーダンスとは独立に作用させる。これにより、フィルタの減衰特性やアイソレーション特性の劣化を抑制できる。
【００４８】
なお、本実施形態では弾性波フィルタ４，５を備え、それぞれのグランドラインを共通のグランドポートＧＮＤ１に接続したが、個々の弾性波フィルタの入力側共振子と出力側共振子とでグランドラインを共通のグランドポートに接続すれば、本発明は実施でき、弾性波フィルタ４，５それぞれを別のグランドポートに接続するように構成しても良い。
【００４９】
また、ここでは、弾性波フィルタ４，５、直列共振子２Ａ，２Ｂ、および、並列共振子３Ａ，３Ｂとして、それぞれを表面弾性波デバイスで構成する例を示したが、本発明は他にも境界弾性波デバイスや、バルク弾性波デバイスであっても好適に実施できる。
【００５０】
また、ここでは、弾性波フィルタ４，５として、縦結合共振型デバイスの構成を示したが、本発明は他にも、グランドラインに接続されるＩＤＴ電極を備える結合型であれば、どのような結合型のデバイスであっても好適に実施できる。
【００５１】
次に、本発明の第２の実施形態の弾性波フィルタ装置を説明する。
【００５２】
弾性波フィルタ装置１１は、不平衡入力−平衡出力型の縦結合型ＳＡＷフィルタのチップであり、回路素子部として弾性波フィルタ１４と並列トラップ１３とを備える。また、接続ポートとして不平衡入力ポートＩＮと平衡出力ポートＯＵＴとグランドポートＧＮＤ１，ＧＮＤ２とを備える。
【００５３】
弾性波フィルタ１４は不平衡入力ポートＩＮと平衡出力ポートＯＵＴとの間に接続されていて、１つの入力側共振子１４Ａと２つの出力側共振子１４Ｂと２つの反射器１４Ｃとを備える。入力側共振子１４ＡはＩＤＴ電極の一方が不平衡入力ポートＩＮからの入力ラインに接続されていて、ＩＤＴ電極の他方がグランドポートＧＮＤ１からのグランドラインに接続されている。出力側共振子１４Ｂは入力側共振子１４Ａの両側に配置されていて、ＩＤＴ電極の一方が平衡出力ポートＯＵＴからの出力ラインに接続されていて、ＩＤＴ電極の他方がグランドポートＧＮＤ１からのグランドラインに接続されている。共振器１４Ａ，１４Ｂの両側には反射器１４Ｃを配置している。
【００５４】
並列トラップ１３は、不平衡入力ポートＩＮとグランドポートＧＮＤ２との間に接続されていて、共振子１３Ａと反射器１３Ｂとを備える。共振子１３ＡはＩＤＴ電極の一方が不平衡入力ポートＩＮからの入力ラインに接続されていて、ＩＤＴ電極の他方がグランドポートＧＮＤ２からのグランドラインに接続されている。
【００５５】
この構成では、弾性波フィルタ１４に接続する全てのグランドラインが、並列トラップ１３とは別に単一のグランドポートＧＮＤ１に接続される。したがって、グランドポートＧＮＤ１に作用する寄生インピーダンスは、弾性波フィルタ１４の全ての共振子に共通して作用することになる。また、グランドポートＧＮＤ２に作用する寄生インピーダンスは、弾性波フィルタ１４に作用する寄生インピーダンスとは独立したものになる。したがって、フィルタの減衰特性やアイソレーション特性の劣化を抑制できる。
【００５６】
次に、本発明の第３の実施形態の弾性波フィルタ装置を説明する。
【００５７】
弾性波フィルタ装置２１は、不平衡入力−不平衡出力型の縦結合型ＳＡＷフィルタのチップであり、回路素子部として弾性波フィルタ２４と並列トラップ２３とを備える。また、接続ポートとして不平衡入力ポートＩＮと平衡出力ポートＯＵＴとグランドポートＧＮＤ１，ＧＮＤ２とを備える。
【００５８】
弾性波フィルタ２４は不平衡入力ポートＩＮと平衡出力ポートＯＵＴとの間に接続されていて、２つの入力側共振子２４Ｂと１つの出力側共振子２４Ａと２つの反射器２４Ｃとを備える。入力側共振子２４Ａは出力側共振子２４Ｂの両側に配置されていて、ＩＤＴ電極の一方が不平衡入力ポートＩＮからの入力ラインに接続されていて、ＩＤＴ電極の他方がグランドポートＧＮＤ１からのグランドラインに接続されている。出力側共振子２４ＢはＩＤＴ電極の一方が平衡出力ポートＯＵＴからの出力ラインに接続されていて、ＩＤＴ電極の他方がグランドポートＧＮＤ１からのグランドラインに接続されている。共振器２４Ａ，２４Ｂの両側には反射器２４Ｃを配置している。
【００５９】
並列トラップ２３は、不平衡入力ポートＩＮとグランドポートＧＮＤ２との間に接続されていて、共振子２３Ａと反射器２３Ｂとを備える。共振子２３ＡはＩＤＴ電極の一方が不平衡入力ポートＩＮからの入力ラインに接続されていて、ＩＤＴ電極の他方がグランドポートＧＮＤ２からのグランドラインに接続されている。
【００６０】
この構成では、弾性波フィルタ２４に接続する全てのグランドラインが、並列トラップ２３とは別に単一のグランドポートＧＮＤ１に接続される。したがって、グランドポートＧＮＤ１に作用する寄生インピーダンスは、弾性波フィルタ２４の全ての共振子に共通して作用することになる。また、グランドポートＧＮＤ２に作用する寄生インピーダンスは、弾性波フィルタ２４に作用する寄生インピーダンスとは独立したものになる。したがって、フィルタの減衰特性やアイソレーション特性の劣化を抑制できる。
【００６１】
以上の各実施形態に示したように本発明は実施できるが、本発明の範囲は、上述の実施形態ではなく特許請求の範囲によって示され、本発明の範囲には特許請求の範囲と均等の意味および範囲内でのすべての変更が含まれることが意図される。
【符号の説明】
【００６２】
１…弾性波フィルタ装置
ＴＸ…送信回路
ＲＸ…受信回路
２Ａ，２Ｂ…直列共振子
３Ａ…並列共振子
３Ａ，３Ｂ…並列共振子
４，５…弾性波フィルタ
４Ａ，４Ｃ，４Ｅ，５Ａ，５Ｃ，５Ｅ…入力側共振子
４Ｂ，４Ｄ，５Ｂ，５Ｄ…出力側共振子
１０…圧電基板
ＩＮ…受信入力ポート
ＧＮＤ１，ＧＮＤ２，ＧＮＤ３…グランドポート
ＯＵＴ１，ＯＵＴ２…受信出力ポート
１００…モジュール
２０…モジュール基体
Ａｎｔ…アンテナ端子
Ｇｎｄ１，Ｇｎｄ２…グランド端子
Ｒｘ１，Ｒｘ２…受信出力端子
Ｔｘ…送信入力端子
ｌｉｎｅ１，ｌｉｎｅ２，ｌｉｎｅ３，ｌｉｎｅ７…グランド配線
ｌｉｎｅ２，ｌｉｎｅ３…グランド配線
ｌｉｎｅ４，ｌｉｎｅ５…受信出力配線
ｌｉｎｅ６…受信入力配線
【図１】
2010052969.tif 000003
【図２】
2010052969.tif 000004
【図３】
2010052969.tif 000005
【図６】
2010052969.tif 000006
【図７】
2010052969.tif 000007
【図８】
2010052969.tif 000008
【図９】
2010052969.tif 000009
【図４】
2010052969.tif 000010
【図５】
2010052969.tif 000011
【国際調査報告】
2010052969.tif 000012
2010052969.tif 000013
2010052969.tif 000014
2010052969.tif 000015